(57)【要約】      （修正有）【課題】弦の操作に違和感なく、正確にかつ確実に楽音情報を検出して良好に演奏ができる電子弦楽器を提供する。【解決手段】導電性を有する複数の弦４の各一端部４ａが取り付けられるブリッジ部５と、複数の弦４がそれぞれ導電性を有する金属製の複数のフレットに押し付けられて導通することにより、音高を検出する押弦センサと、複数の弦４とブリッジ部５とを絶縁する絶縁部であるブリッジ駒２５および絶縁チューブ４１と、複数の弦４にそれぞれ導通して接続される接続部である導電チューブ４２と、を備えている。従って、弦４を指で押えながら同じ弦４を弾いて演奏できると共に、指で押えられた弦４を金属製のフレットに押し付けることができるので、違和感なく弦の操作ができるほか、複数の弦４の各一端部４ａが取り付けられるブリッジ部５を金属で形成しても、複数の弦４とブリッジ部５とを絶縁できる。【選択図】図４
2014106312.tif 000002
【特許請求の範囲】
【請求項１】
楽器本体と、
この楽器本体上に張設される導電性を有する複数の弦と、
前記楽器本体に設けられ、前記複数の弦の各一端部が取り付けられるブリッジ部と、
前記複数の弦と前記ブリッジ部とを絶縁する絶縁部と、
前記複数の弦それぞれを独立に導通させて接続される接続部と、
前記楽器本体に設けられ、前記接続部に接続された前記各弦に対して電気信号を供給すると共に、前記複数の弦がそれぞれ導電性を有する複数のフレットのいずれかに押し付けられて導通したかを検知することにより、発音すべき楽音の音高を決定する音高決定部と、
を備えていることを特徴とする電子弦楽器。
【請求項２】
請求項１に記載の電子弦楽器において、前記ブリッジ部は、前記複数の弦の前記各一端部がそれぞれ挿入して取り付けられる複数の弦取付孔が設けられたブリッジ本体と、このブリッジ本体上に前記複数の弦それぞれに対応して配置され、かつ前記複数の弦をそれぞれ支持するブリッジ駒とを備えていることを特徴とする電子弦楽器。
【請求項３】
請求項１または請求項２に記載の電子弦楽器において、前記絶縁部は前記複数のブリッジ駒と複数の絶縁チューブとを有し、前記複数のブリッジ駒はそれぞれ絶縁性を有する合成樹脂で形成され、前記複数の絶縁チューブはその各内部に前記複数の弦の前記各一端部が挿入した状態で前記ブリッジ本体の前記複数の弦取付孔にそれぞれ挿入して配置され、
前記接続部は、前記複数の絶縁チューブの内部にそれぞれ設けられて前記複数の弦にそれぞれ導通する複数の導電部と、これら複数の導電部にそれぞれ接続される複数の接続ケーブルとを有していることを特徴とする電子弦楽器。
【請求項４】
請求項１または請求項２に記載の電子弦楽器において、前記絶縁部は、前記ブリッジ本体と前記複数のブリッジ駒との間に配置された絶縁部材と、前記複数の弦の前記各一端部が挿入した状態で前記ブリッジ本体の前記複数の弦取付孔にそれぞれ挿入して配置される絶縁チューブとを有し、
前記接続部は、前記絶縁部材と前記複数のブリッジ駒との間にそれぞれ配置されて前記複数の弦に対してそれぞれ個別に導通する複数の導電部材と、これら複数の導電部材にそれぞれ接続される複数の接続ケーブルとを有していることを特徴とする電子弦楽器。
【発明の詳細な説明】
【技術分野】
【０００１】
この発明は、ギター、マンドリン、ウクレレ、三味線などの電子弦楽器に関する。
【背景技術】
【０００２】
例えば、電子ギターにおいては、特許文献１に記載されているように、ギター本体を胴部とネックとで構成し、胴部に複数の楽音トリガー弦を張り渡し、ネックに設けられた指板上にも同じ数のフレット弦を張り渡した構成のものが知られている。
【先行技術文献】
【特許文献】
【０００３】
【特許文献１】実開昭６３−２９１９３号公報
【０００４】
このような電子ギターは、胴部に張り渡された複数の楽音トリガー弦にそれぞれ楽音トリガースイッチが設けられ、複数のフレット弦が張り渡されるネックの指板上に音高指定スイッチが設けられた構成になっている。楽音トリガースイッチは、楽音トリガー弦の振動を電気信号として検出するように構成されている。
【０００５】
また、音高指定スイッチは、フレット弦の張り渡し方向に沿って複数のフレット部を有するゴムシートと、このゴムシートの下面に設けられた導電性シートと、この導電性シートの下面に設けられたスペーサシートと、このスペーサシートの下面に設けられて複数の接点電極を有する配線基板とを備えている。
【０００６】
これにより、この音高指定スイッチは、フレット弦を指で押してフレット部の間に位置するゴムシートを押し下げると、ゴムシートが弾性変形して導電性シートを押し下げ、この導電シートがスペーサシートの開口部を通して配線基板の接点電極に接触し、この接触した導電シートが接点電極同士を導通させることにより、押弦位置に応じた音高を電気信号として出力するように構成されている。
【０００７】
このような電子ギターは、ネックの指板上に張り渡された複数のフレット弦を指で押さえながら、胴部に張り渡された複数の楽音トリガー弦を指で弾くと、指板上の音高指定スイッチが押弦位置に応じた音高を電気信号として出力すると共に、胴部の楽音トリガースイッチが楽音トリガー弦の弦振動を電気信号として出力することにより、指定された音高で弦振動に応じた楽音を発生するように構成されている。
【発明の概要】
【発明が解決しようとする課題】
【０００８】
しかしながら、このような電子ギターでは、複数の楽音トリガー弦が胴部に張り渡され、複数のフレット弦がネックに設けられた指板上にも張り渡されていることにより、本来連続している各弦が分割されているため、フレット弦を指で押さえながら楽音トリガー弦を指で弾いて演奏する際に、楽音トリガー弦の弦振動がフレット弦に伝わらず、演奏に違和感が生じるという問題がある。
【０００９】
すなわち、この電子ギターでは、演奏者が演奏する際に、指で押さえているフレット弦と、指で弾いている楽音トリガー弦とが、位置ずれして、一直線上に対応していないと、楽音トリガー弦の弦振動がフレット弦に伝わらないため、演奏者がフレット弦と楽音トリガー弦との位置ずれに気付かずに演奏してしまい、誤った楽音を発生するという問題がある。
【００１０】
また、この電子ギターでは、ネックの指板上に張り渡されたフレット弦を指で押える際に、音高指定スイッチのゴムシートが弾性変形して押し下げられるので、フレット弦を強い力で押え付けなければ、フレット弦を指で確実に押えることができず、このため演奏に違和感が生じるばかりか、弦の操作性が悪いという問題もある。
【００１１】
そこで、このような問題を解消するために、導電性を有する複数の弦を複数の楽音トリガー弦と複数のフレット弦とに分割せずに連続させてギター本体の胴部とネックとに張り渡すと共に、音高指定スイッチの複数のフレットを金属で形成し、複数の弦に電流を流した状態で、複数の弦を押弦操作して複数のフレットのいずれかに導通させることにより、音高を検出するように構成した電子ギターが検討されている。
【００１２】
しかし、このような電子ギターでは、複数の弦の張力が高くなるため、ギター全体の強度を高める必要が生じ、これに伴って複数の弦の各一端部が取り付けられるブリッジ部を強度の高い金属で形成する必要があるが、ブリッジ部を金属で形成すると、複数の弦が相互に導通してしまうため、正確に音高を検出することができず、正しい楽音を発生させることができないという問題が生じる。
【００１３】
この発明が解決しようとする課題は、弦の操作に違和感なく、正確にかつ確実に楽音情報を検出して良好に演奏ができる電子弦楽器を提供することである。
【課題を解決するための手段】
【００１４】
この発明は、楽器本体と、この楽器本体上に張設される導電性を有する複数の弦と、前記楽器本体に設けられ、前記複数の弦の各一端部が取り付けられるブリッジ部と、前記複数の弦と前記ブリッジ部とを絶縁する絶縁部と、前記複数の弦それぞれを独立に導通させて接続される接続部と、前記楽器本体に設けられ、前記接続部に接続された前記各弦に対して電気信号を供給すると共に、前記複数の弦がそれぞれ導電性を有する複数のフレットのいずれかに押し付けられて導通したかを検知することにより、発音すべき楽音の音高を決定する音高決定部と、を備えていることを特徴とする電子弦楽器である。
【発明の効果】
【００１５】
この発明によれば、楽器本体に張り渡された弦を指で押えながら、同じ弦を弾いて演奏することができると共に、指で押えられた弦を導電性を有するフレットに押し付けることができるので、違和感なく弦の操作ができるほか、複数の弦の各一端部が取り付けられるブリッジ部の強度を高めるため、ブリッジ部を導電性を有する金属で形成しても、絶縁部によって複数の弦とブリッジ部とを絶縁することができるので、正確にかつ確実に楽音情報を検出して良好に演奏することができる。
【図面の簡単な説明】
【００１６】
【図１】この発明を電子ギターに適用した第１実施形態を示した正面図である。
【図２】図１に示された電子ギターのネックを示した一部破断した要部の拡大斜視図である。
【図３】図２に示された指板の一部を断面で示した要部の拡大斜視図である。
【図４】図１に示された電子ギターのブリッジ部を示した拡大断面図である。
【図５】図４に示されたブリッジ部を分解して示した拡大断面図である。
【図６】図４に示されたブリッジ部のブリッジ駒および弦を示し、その弦の絶縁チューブの一部を破断して示した拡大斜視図である。
【図７】図１に示された電子ギターの回路構成を示したブロック図である。
【図８】図７に示された押弦センサを示した回路図である。
【図９】図６に示された電子ギターの第１実施形態における接続部の変形例を示した一部破断した拡大斜視図である。
【図１０】この発明を電子ギターに適用した第２実施形態において、電子ギターのブリッジ部を示した拡大断面図である。
【図１１】図１０に示されたブリッジ部を分解して示した拡大断面図である。
【図１２】図１０に示されたブリッジ部のブリッジ駒および弦を示した拡大斜視図である。
【図１３】図１０に示されたブリッジ部において、ブリッジ駒の一部を取り外して導電板の一部を露呈させた状態を示した拡大平面図である。
【発明を実施するための形態】
【００１７】
（第１実施形態）
以下、図１〜図８を参照して、この発明を電子ギターに適用した第１実施形態について説明する。
この電子ギターは、図１に示すように、ギター本体１を備えている。このギター本体１は、胴部２とネック３とで構成されている。また、このギター本体１は、複数（この実施形態では６本の）の弦４が、胴部２およびネック３に亘って張り渡されるように構成されている。
【００１８】
この場合、胴部２のほぼ中央部には、図１に示すように、複数の弦４の各一端部４ａが取り付けられるブリッジ部５が設けられている。このブリッジ部５の近傍には、複数の弦４の各弦振動を電気信号として検出するピックアップ部６が設けられている。また、胴部２には、電子回路部７および表示部８が設けられている。電子回路部７は、電子ギターに必要な各種の電子部品を備えている。表示部８は、電子ギターによる演奏に必要な各種の情報を表示するように構成されている。
【００１９】
一方、ネック３の先端部（図１では右端部）には、図１に示すように、弦支持部９を介してヘッド１０が設けられている。弦支持部９は、複数の弦４を等間隔で支持するように構成されている。ヘッド１０には、複数の弦４の各他端部４ｂがそれぞれ弦張調整可能に取り付けられる複数のペッグ１１が設けられている。これにより、複数の弦４は、胴部２のブリッジ部５とヘッド１０との間に張り渡されるように構成されている。これら複数の弦４は、それぞれ導電性を有する線材であり、電気抵抗をもって電流が流れるように構成されている。
【００２０】
また、ネック３には、図１および図２に示すように、指板１２が胴部２とヘッド１０との間に設けられている。この指板１２は、木製または合成樹脂製の帯状板であり、複数の弦４の張り渡し方向、つまりネック３の長手方向に沿って複数（この実施形態では２２個）のフレット１３が所定間隔で設けられている。これら複数のフレット１３は、それぞれ銅や洋銀などの電気抵抗の小さい金属で形成され、図３に示すように、指板１２に設けられた複数の取付孔１２ａにそれぞれ取り付けられている。
【００２１】
すなわち、このフレット１３は、図２および図３に示すように、半円柱状に形成されたフレット本体部１３ａと、このフレット本体部１３ａの平面である下面に設けられた足部１３ｂとを有し、この足部１３ｂが指板１２の取付孔１２ａに打ち込まれて抜け止めされた状態で取り付けられるように構成されている。この場合、指板１２の取付孔１２ａは、指板１２の上下に貫通するスリット状の長孔であり、複数の弦４の張り渡し方向に対して直交する方向である弦４の配列方向、つまりネック３の長手方向と直交する方向に沿って設けられている。
【００２２】
これにより、フレット１３は、図２および図３に示すように、足部１３ｂが指板１２の上方から取付孔１２ａに打ち込まれて、フレット本体部１３ａが指板１２の上面に突出した状態で、指板１２に取り付けられることにより、フレット本体部１３ａの円弧面である上面に複数の弦４がそれぞれ押し付けられるように構成されている。
【００２３】
また、この指板１２とネック３との間には、図２および図３に示すように、一対の配線基板１４が設けられている。この場合、指板１２の下面には、一対の基板収納部１２ｂがネック３の長手方向に沿って並列に設けられている。一対の配線基板１４は、それぞれ帯状の細長い板であり、指板１２の一対の基板収納部１２ｂ内に収納された状態で、ネック３上に配置されるように構成されている。
【００２４】
また、一対の配線基板１４の上面には、図２および図３に示すように、複数の電極パッド１５が複数のフレット１３にそれぞれ対応して設けられている。また、これら一対の配線基板１４の上面には、複数の電極パッド１５をそれぞれ配線基板１４の一端部、つまり胴部２側に位置する端部に導くための複数の配線パターン１６が設けられている。これら複数の配線パターン１６は、配線基板１４の端部に設けられたコネクタ１７に接続され、このコネクタ１７を介して胴部２内の電子回路部７と電気的に接続されている。
【００２５】
また、複数のフレット１３と複数の電極パッド１５との間には、図３に示すように、その両者をそれぞれ電気的に接続する複数の弾性導電部材１８が設けられている。この弾性導電部材１８は、導電性を有するゴム、あるいは導電ゴムと絶縁ゴムとを交互に張り合わせたゼブラタイプのインターコネクタなどからなり、フレット１３と電極パッド１５とに弾力的に接触して、その両者を電気的に接続するように構成されている。
【００２６】
このような複数の電極パッド１５を有する配線基板１４、複数の弾性導電部材１８、複数のフレット１３、および複数の弦４によって、音高検出部である押弦センサ１９が構成されている。すなわち、この押弦センサ１９は、図２および図３に示すように、弦４が押されてフレット１３に押し付けられると、この押された弦４とフレット１３とが電気的に導通すると共に、このフレット１３が配線基板１４の電極パッド１５に弾性導電部材１８を介して導通するように構成されている。
【００２７】
これにより、押弦センサ１９は、図２および図３に示すように、押された弦４と、この弦４が導通するフレット１３に対応する電極パッド１５とによって、押弦位置に対応する音高を電気信号として検出するように構成されている。この場合、ネック３の内部には、図２に示すように、ネック３の反りを調整するための反り調整部材２０が設けられている。すなわち、ネック３には、その下部から内部に向けて切り込まれた切込溝２１が、ネック３の長手方向に沿って設けられている。
【００２８】
反り調整部材２０は、ネック３の切込溝２１内に配置された状態で、両端部がネック３の両端部に締め付け可能に取り付けられている。これにより、反り調整部材２０は、図２に示すように、その両端部の締め付けを調整することにより、ネック３の反りを調整するように構成されている。また、この切込溝２１は、その下部に蓋部材２２が嵌め込まれることにより、反り調整部材２０が外部から見えないように、蓋部材２２によって塞がれるように構成されている。
【００２９】
ところで、複数の弦４の各一端部４ａ（図１では左端部）が取り付けられるブリッジ部５は、図１および図４に示すように、胴部２の中央部に設けられたブリッジ孔２３内に配置されるブリッジ本体２４と、このブリッジ本体２４上に複数の弦４それぞれに対応して配置された複数のブリッジ駒２５とを備えている。
【００３０】
ブリッジ本体２４は、図４および図５に示すように、金属製のブリッジブロック２６と金属製のブリッジベース２７とを有している。ブリッジブロック２６は、胴部２のブリッジ孔２３内に配置されて、胴部２から上方に突出するように構成されている。また、ブリッジベース２７は、胴部２から上方に突出したブリッジブロック２６上にビス２７ｂによって取り付けられている。
【００３１】
また、ブリッジ本体２４は、図４および図５に示すように、ブリッジブロック２６の下部にばね部材２８が取り付けられ、このばね部材２８のばね力によってネック３側（図４では左端部）に向けて付勢された状態で、ブリッジベース２７の先端部２７ａつまりネック３側に位置する先端部２７ａが胴部２上に設けられたピン部材２９に押し当てられていることにより、胴部２のブリッジ孔２３内にブリッジブロック２６が浮いた状態で揺動可能に取り付けられている。
【００３２】
この場合、ブリッジ本体２４には、図１に示すように、トレモロアーム３０が取り付けられている。このトレモロアーム３０は、これを操作して、ブリッジ本体２４を弦４の張り渡し方向およびこれと直交する方向に揺動させることにより、複数の弦４の張力を変化させて、効果音を付加させるように構成されている。なお、胴部２の下部には、ブリッジ孔２３を塞ぐ裏蓋２３ａが取り付けられている。
【００３３】
一方、複数のブリッジ駒２５は、図４〜図６に示すように、それぞれ板状の駒本体３１と、この駒本体３１の前端部（図４では左端部）に設けられた山形状の弦支持部３２と、駒本体３１の後端部（図４では右端部）に設けられた板状の突起部３３とを備え、ブリッジベース２７上に配置されるように構成されている。これら複数のブリッジ駒２５は、ユリア樹脂などの絶縁性を有する合成樹脂によって形成され、複数の弦４が相互に導通しないように構成されている。
【００３４】
また、このブリッジ駒２５の弦支持部３２には、図４〜図６に示すように、弦高調整ねじ３５が取り付けられている。この弦高調整ねじ３５は、この実施形態においては樹脂で形成されており、弦支持部３２にその上部から下部に突き抜けた状態で螺合している。これにより、弦高調整ねじ３５は、これを回して弦高調整ねじ３５の下端部をブリッジ駒２５の下側に出没させることにより、ブリッジベース２７上においてブリッジ駒２５を上下に変位させて弦４の音を調整するように構成されている。
【００３５】
また、ブリッジ駒２５の突起部３３には、図４〜図６に示すように、オクターブ調整ねじ３６が取り付けられている。このオクターブ調整ねじ３６は、ブリッジベース２７の取付部３７に設けられた挿入孔３７ａを通して、ブリッジ駒２５の突起部３３に設けられたねじ孔３３ａに螺合している。この場合、オクターブ調整ねじ３６の外周には、コイルばね３８がブリッジ駒２５の突起部３３とブリッジベース２７の取付部３７との間に位置して設けられている。
【００３６】
このコイルばね３８は、図４に示すように、ブリッジ駒２５の突起部３３を前側（図４では左側）に向けて押し出す方向に付勢することにより、オクターブ調整ねじ３６の頭部３６ａをブリッジベース２７の取付部３７の外面（図４では右側）に押し付けるように構成されている。このため、ブリッジ駒２５の突起部３３とブリッジベース２７の取付部３７とは、コイルばね３８のばね力によって互いに離れる方向に付勢されている。
【００３７】
これにより、オクターブ調整ねじ３６は、図４に示すように、これを回すと、頭部３６ａがブリッジベース２７の取付部３７に当接した状態で回転すると共に、先端のねじ部がブリッジ駒２５の突起部３３のねじ孔３３ａ内を回転しながら螺旋移動することにより、ブリッジ駒２５をブリッジベース２７の前後方向（図４では左右方向）に移動させるように構成されている。
【００３８】
すなわち、オクターブ調整ねじ３６は、図４に示すように、これを回してブリッジ駒２５の突起部３３を前側（図４では左側）に向けて押し出す際に、コイルばね３８のばね力によってブリッジ駒２５が前側に移動して弦４のオクターブを下げる方向に調整するように構成されている。
【００３９】
また、このオクターブ調整ねじ３６は、図４に示すように、これを回してブリッジ駒２５の突起部３３をコイルばね３８のばね力に抗して後側（図４では右側）に向けて引き寄せると、ブリッジ駒２５が後側に移動して弦４のオクターブを上げる方向に調整するように構成されている。
【００４０】
ところで、複数の弦４は、図４〜図６に示すように、その各一端部４ａがブリッジ駒２５の駒本体３１の弦挿入孔３１ａ、およびブリッジベース２７の弦挿入孔２７ｃを通して、ブリッジブロック２６の弦取付孔３９内にそれぞれ挿入された状態で、取り付けられるように構成されている。
【００４１】
この場合、複数の弦４の各一端部４ａには、図４〜図６に示すように、導電性を有するエンドボール４０がそれぞれ取り付けられている。また、複数の弦４の各一端部４ａは、絶縁チューブ４１を介してブリッジブロック２６の弦取付孔３９内にそれぞれ挿入されていることにより、ブリッジブロック２６およびブリッジベース２７に接触して導通しないように構成されている。
【００４２】
この場合、ブリッジブロック２６の弦取付孔３９は、図４および図５に示すように、上部が小径孔３９ａに形成され、下部が大径孔３９ｂに形成され、中間部が中径孔３９ｃに形成され、小径孔３９ａと中径孔３９ｃとの境に小径テーパ部３９ｄがくびれた状態で形成され、中径孔３９ｃと大径孔３９ｂとの境に大径テーパ部３９ｅがくびれた状態で形成されている。
【００４３】
絶縁チューブ４１は、塩化ビニル樹脂（ＰＶＣ）などの絶縁性を有する合成樹脂で形成されている。この絶縁チューブ４１は、図４〜図６に示すように、ブリッジブロック２６の弦取付孔３９と同様、弦４が挿入する小径孔部４１ａと、エンドボール４０が挿入する大径孔部４１ｂと、その中間に位置する中径孔部４１ｃとを有し、小径孔部４１ａと中径孔部４１ｃとの境に小径テーパ部４１ｄがくびれた状態で形成され、中径孔部４１ｃと大径孔部４１ｂとの境に大径テーパ部４１ｅがくびれた状態で形成されている。
【００４４】
これにより、絶縁チューブ４１は、図４および図５に示すように、大径孔部４１ｂがブリッジブロック２６の弦取付孔３９の大径孔３９ｂ内に挿入されて、大径テーパ部４１ｅがブリッジブロック２６の弦取付孔３９の大径テーパ部３９ｅに当接し、中径孔部４１ｃがブリッジブロック２６の弦取付孔３９の中径孔３９ｃ内に挿入されて、小径テーパ部４１ｄがブリッジブロック２６の弦取付孔３９の小径テーパ部３９ｄに当接した状態で、小径孔部４１ａがブリッジブロック２６の弦取付孔３９の小径孔３９ａおよびブリッジベース２７の弦挿入孔２７ｃに挿入されるように構成されている。
【００４５】
また、この絶縁チューブ４１の内部には、図４〜図６に示すように、導電チューブ４２が設けられている。この導電チューブ４２は、弦４の一端部４ａが挿入する弦挿入部４２ａと、この弦挿入部４２ａの下端部に設けられた広口のテーパ部４２ｂとを有し、弦挿入部４２ａが絶縁チューブ４１の中径孔部４１ｃに挿入し、広口のテーパ部４２ｂが絶縁チューブ４１の大径テーパ部４１ｅに当接した状態で、絶縁チューブ４１内に配置されるように構成されている。
【００４６】
これにより、導電チューブ４２は、図４〜図６に示すように、絶縁チューブ４１内に配置された状態で、絶縁チューブ４１の大径孔部４１ｂ内にエンドボール４０が挿入されると、このエンドボール４０が導電チューブ４２のテーパ部４２ｂに当接することにより、エンドボール４０と導通するように構成されている。
【００４７】
さらに、この導電チューブ４２は、図５〜図６に示すように、その下端部に接続ケーブル４３が半田またはカシメによって接合され、この接続ケーブル４３によって電子回路部７と電気的に接続されていることにより、導電チューブ４２に電流が供給されるように構成されている。これにより、複数の弦４は、それぞれ導電チューブ４２に供給された電流がエンドボール４０を介して流れるように構成されている。
【００４８】
この場合、複数の弦４は、図４および図５に示すように、絶縁チューブ４１によってブリッジ部５のブリッジ本体２４に接触することがなく、ブリッジブロック２６の弦取付孔３９、ブリッジベース２７の弦挿入孔２７ｃ、およびブリッジ駒２５の駒本体３１の弦挿入孔３１ａを通り、ブリッジ駒２５の弦支持部３２上に押し付けられた状態で、相互に導通することなく、張り渡されるように構成されている。
【００４９】
次に、図７に示されたブロック図を参照して、この電子ギターの回路構成について説明する。
この電子ギターの回路構成は、回路全般を制御するＣＰＵ（中央演算処理装置）４５と、予め定められたプログラムおよび入力されたデータを格納するメモリ部４６と、音量、音色、モード切替などの各種スイッチを備えた操作スイッチ部４７と、複数の弦４の押弦位置を検知する押弦センサ１９と、複数の弦４の弾弦操作による弦振動を電気信号として検出するピックアップ部６とを備えている。
【００５０】
ＣＰＵ４５は、この実施形態においては、押弦センサ１９により検知された押弦位置により発音すべき楽音の発音開始時の音高を決定する。また、ＣＰＵ４５は、ピックアップ部６からの弦振動に基づいて楽音の発音タイミングおよび発音されている楽音の音高を制御する。
【００５１】
また、この電子ギターの回路構成は、ＣＰＵ４５からの指令に基づいて各種の情報を表示する表示部８と、ＣＰＵ４５からの音高および発音タイミング指令に基づいて楽音データを生成する音源部４８と、この音源部４８で生成された楽音データに対してエフェクトを付加するエフェクト部４９と、このエフェクト部４９でエフェクトの付加された楽音データをアナログ信号に変換してオーディオ機器に出力するＤ／Ａ変換部５０と、ＣＰＵ４５からの指令に基づいて外部機器との間でデータの授受を行うインターフェイス（Ｉ／Ｆ）５１とを備えている。
【００５２】
この場合、押弦センサ１９は、図８に示すように、複数（６本）の弦４と複数（２２個）のフレット１３とでＸＹ座標のマトリクススイッチが構成され、このＸＹ座標のスイッチスキャンを行うことにより、複数の弦４の押弦位置に応じたスイッチ信号を出力するように構成されている。すなわち、この押弦センサ１９は、複数のフレット１３に対応する複数の電極パッド１５それぞれから時分割に順次出力された出力信号に基づいてＸ座標に対応するＸ座標信号を出力するＸ信号制御部５２と、複数の弦４それぞれから時分割に順次出力される出力信号に基づいてＹ座標に対応するＹ座標信号を出力するＹ信号制御部５３とを有している。
【００５３】
これにより、押弦センサ１９は、複数の弦４のいずれかが押されて複数のフレット１３のいずれかに押し付けられると、押し付けられた弦４とフレット１３とが導通し、これに対応する配線基板１４の電極パッド１５と弦４とに電流が流れて、弦４が導通したフレット１３のＸ座標位置がＸ信号制御部５２によって指定されると共に、フレット１３に導通した弦４のＹ座標位置がＹ信号制御部５３によって指定され、これにより押弦された弦４およびこれに対応するフレット１３のＸＹ座標位置が指定されるように構成されている。
【００５４】
すなわち、この押弦センサ１９は、押弦された弦４およびこれに対応するフレット１３のＸＹ座標位置が指定されると、Ｘ信号制御部５２が指定されたフレット１３のＸ座標に対応する位置信号を出力すると共に、Ｙ信号制御部５３が指定された弦４のＹ座標に対応する位置信号を出力し、これにより押弦位置に対応する音高をＸＹ座標位置として検出して出力するように構成されている。
【００５５】
次に、このような電子ギターの作用について説明する。
この電子ギターで演奏する際には、アコースティックギターと同様、ネック３の指板１２に張設された複数の弦４を指で押えて複数のフレット１３のいずれかに押し付けながら、このフレット１３に対応する弦４を弾く。このときには、押弦センサ１９によって押弦位置に対応する音高が検出され、ピックアップ部６によって押された弦４の弦振動が検出され、これらに基づいて楽音が発生される。
【００５６】
すなわち、押弦センサ１９は、複数の弦４のいずれかが押されて複数のフレット１３のいずれかに押し付けられると、弦４とフレット１３とが導通し、これに対応する配線基板１４の電極パッド１５と弦４とに電流が流れる。これにより、弦４が導通したフレット１３のＸ座標位置がＸ信号制御部５２によって指定されると共に、フレット１３に導通した弦４のＹ座標位置がＹ信号制御部５３によって指定され、これにより音高情報が決定される。
【００５７】
また、ピックアップ部６は、フレット１３に導通した弦４が弾かれると、その弾かれた弦４の振動を検出する。そして、押弦センサ１９によって決定された音高情報と、ピックアップ部６によって検出された弦振動情報とによって、ＣＰＵ４５が音源部４８に指令を与えて音源データを生成させ、この音源データに基づいてエフェクト部４９で楽音データを生成させてオーディオ機器に出力し、楽音を発生させる。
【００５８】
このように、この電子ギターによれば、胴部２およびネック３を有するギター本体１上に張設される導電性を有する複数の弦４と、ギター本体１の胴部２に設けられて複数の弦４の各一端部４ａが取り付けられるブリッジ部５と、ギター本体１のネック３に設けられ、かつ複数の弦４がそれぞれ金属製の複数のフレット１３に押し付けられて導通することにより、音高を検出する押弦センサ１９と、複数の弦４とブリッジ部５とを絶縁する絶縁部である絶縁性のブリッジ駒２５および絶縁チューブ４１と、複数の弦４にそれぞれ導通して接続される接続部である導電チューブ４２および接続ケーブル４３と、を備えているので、弦４の操作に違和感なく、正確にかつ確実に楽音情報を検出して良好に演奏ができる。
【００５９】
すなわち、この電子ギターでは、ギター本体１に張り渡された弦４を指で押えて有効弦長を変化させながら、同じ弦４を弾いて演奏することができると共に、指で押えられた弦４を金属製のフレット１３に押し付けることができるので、違和感なく弦の操作ができるほか、複数の弦４の各一端部４ａが取り付けられるブリッジ部５の強度を高めるために、ブリッジ部５を金属で形成しても、正確にかつ確実に楽音情報を検出して良好に演奏ができる。
【００６０】
すなわち、この電子ギターでは、絶縁部である絶縁性のブリッジ駒２５および絶縁チューブ４１によって複数の弦４をブリッジ部５に対して絶縁することができ、これにより複数の弦４が相互に導通するのを防ぐことができるので、正確にかつ確実に楽音情報を検出して良好に演奏ができる。また、この電子ギターでは、追加部品が少ないので、低コスト化を図ることができると共に、高速でフレット検出つまり音高検出ができる。
【００６１】
この場合、ブリッジ部５は、複数の弦４の各一端部４ａがそれぞれ挿入して取り付けられる複数の弦取付孔３９が設けられたブリッジ本体２４と、このブリッジ本体２４上に複数の弦４それぞれに対応して配置され、かつ複数の弦４をそれぞれ支持するブリッジ駒２５とを備えていることにより、複数の弦４の各一端部４ａが取り付けられるブリッジ部５のブリッジ本体２４の強度を高めるために、ブリッジ本体２４を金属で形成しても、絶縁部であるブリッジ駒２５および絶縁チューブ４１によって複数の弦４をブリッジ本体２４に対して絶縁することができ、これにより複数の弦４が相互に導通するのを防ぐことができる。
【００６２】
すなわち、絶縁部は絶縁性の複数のブリッジ駒２５と複数の絶縁チューブ４１とを有し、複数のブリッジ駒２５はそれぞれ絶縁性を有するユリア樹脂などの合成樹脂で形成され、複数の絶縁チューブ４１はその各内部に複数の弦４の各一端部４ａが挿入した状態でブリッジ本体２４の複数の弦取付孔３９にそれぞれ挿入して配置されるので、ブリッジ本体２４を金属で形成しても、複数のブリッジ駒２５および複数の絶縁チューブ４１によって複数の弦４をブリッジ本体２４に対して絶縁することができ、これにより複数の弦４が相互に導通するのを確実に防ぐことができる。
【００６３】
この場合、接続部は、複数の絶縁チューブ４１の内部にそれぞれ設けられて複数の弦４にそれぞれ導通する複数の導電チューブ４２と、これら複数の導電チューブ４２にそれぞれ接続される複数の接続ケーブル４３とを有しているので、これら複数の接続ケーブル４３によって複数の導電チューブ４２を介して複数の弦４それぞれに電流を個別に供給することができ、これにより複数の弦４をそれぞれ金属製の複数のフレット１３に個別に押し付けて導通させることができるので、押弦センサ１９によって音高情報を正確に検出することができる。
【００６４】
なお、上述した第１実施形態では、絶縁チューブ４１内に導電チューブ４２を挿入し、この導電チューブ４２に弦４のエンドボール４０を接触させて導通させた場合について述べたが、これに限らず、例えば図９に示す変形例のように、絶縁チューブ４１の内面に導電層５５を設け、この導電層５５にエンドボール４０を当接させて導通させ、かつこの導電層５５を挟んで接続クリップ５６を絶縁チューブ４１の下端部に取り付け、この接続クリップ５６に接続ケーブル４３を接続した構成であっても良い。
【００６５】
このように構成しても、絶縁チューブ４１の内面に設けられた導電層５５に弦４のエンドボール４０を接触させて導通させることができるので、この導電層５５を介して接続ケーブル４３によって絶縁チューブ４１内の弦４に電流を供給することができ、これにより複数の弦４をそれぞれ金属製の複数のフレット１３に個別に押し付けて導通させることができるので、押弦センサ１９によって音高情報を正確に検出することができる。
【００６６】
（第２実施形態）
次に、図１０〜図１３を参照して、この発明を電子ギターに適用した第２実施形態について説明する。なお、図１〜図８に示された第１実施形態と同一部分には同一符号を付して説明する。
この電子ギターは、図１０および図１１に示すように、複数の弦４とブリッジ部５とを絶縁する絶縁部と、複数の弦４にそれぞれ導通して接続される接続部とが第１実施形態と異なる構成であり、これ以外は第１実施形態と同じ構成になっている。
【００６７】
すなわち、絶縁部は、図１０〜図１３に示すように、ブリッジ本体２４と複数のブリッジ駒６０との間に配置された絶縁板６１と、複数の弦４の各一端部４ａが挿入した状態でブリッジ本体２４の複数の弦取付孔３９にそれぞれ挿入して配置される絶縁チューブ４１とを有している。この場合、ブリッジ本体２４の弦取付孔３９は、上部が小径孔３９ａに形成され、下部が大径孔３９ｂに形成され、この小径孔３９ａと大径孔３９ｂとの境にテーパ部３９ｄがくびれた状態で形成されている。
【００６８】
絶縁チューブ４１は、第１実施形態と同様、塩化ビニル樹脂（ＰＶＣ）などの絶縁性を有する合成樹脂で形成されている。この絶縁チューブ４１は、ブリッジブロック２６の弦取付孔３９と同様、弦４が挿入する小径孔部４１ａと、エンドボール４０が挿入する大径孔部４１ｂとを有し、小径孔部４１ａと大径孔部４１ｂとの境にテーパ部４１ｄがくびれた状態で形成されている。
【００６９】
また、複数のブリッジ駒６０は、金属板をそれぞれ板金加工したものであり、これ以外は第１実施形態と同様に構成されている。このブリッジ駒６０は、図１０〜図１２に示すように、平板状の駒本体３１と、この駒本体３１の前端部（図１０では左端部）に山形状に湾曲して設けられた弦支持部３２と、駒本体３１の後端部（図１０では右端部）に設けられた板状の突起部３３とを備え、ブリッジベース２７上に絶縁板６１を介して配置されるように構成されている。
【００７０】
この絶縁板６１は、絶縁性を有する合成樹脂からなり、図１３に示すように、ブリッジベース２７の上面にそのほぼ全域に亘って配置されている。また、ブリッジ駒６０の弦支持部３２に設けられた弦高調整ねじ３５は、第１実施形態においては樹脂で形成されていたが、第２実施形態においては、導電性を有する金属で形成されている。一方、オクターブ調整ねじ６２およびコイルばね６３は、それぞれ絶縁性を有する合成樹脂によって形成されており、これ以外は第１実施形態と同じ構成になっている。
【００７１】
すなわち、オクターブ調整ねじ６２は、ブリッジベース２７の取付部３７に設けられた挿入孔３７ａを通して、ブリッジ駒６０の突起部３３に設けられたねじ孔３３ａに螺合するように構成されている。また、コイルばね６３は、図１０および図１１に示すように、ブリッジ駒６０の突起部３３を前側（図１０では左側）に向けて押し出す方向に付勢することにより、オクターブ調整ねじ６２の頭部６２ａをブリッジベース２７の取付部３７の外面（図１０では右側）に押し付けるように構成されている。
【００７２】
このため、ブリッジ駒６０の突起部３３とブリッジベース２７の取付部３７とは、コイルばね６３のばね力によって互いに離れる方向に付勢されている。これにより、オクターブ調整ねじ６２は、第１実施形態と同様、これを回すと、頭部６２ａがブリッジベース２７の取付部３７に当接した状態で回転すると共に、先端のねじ部がブリッジ駒６０の突起部３３のねじ孔３３ａ内を回転しながら螺旋移動することにより、ブリッジ駒６０をブリッジベース２７の前後方向（図１０では左右方向）に移動させるように構成されている。
【００７３】
この場合にも、複数の弦４は、図１０および図１１に示すように、絶縁チューブ４１によってブリッジ部５のブリッジ本体２４に接触することがなく、ブリッジブロック２６の弦取付孔３９、ブリッジベース２７の弦挿入孔２７ｃ、絶縁板６１の弦挿入孔６１ａ、およびブリッジ駒６０の駒本体３１の弦挿入孔３１ａを通り、ブリッジ駒６０の弦支持部３２上に押し付けられた状態で、相互に導通することなく、張り渡されるように構成されている。
【００７４】
ところで、複数の弦４にそれぞれ導通して接続される接続部は、図１０〜図１３に示すように、絶縁板６１と複数のブリッジ駒６０との間にそれぞれ配置されて複数の弦４に対してそれぞれ個別に導通する複数の導電板６４と、これら複数の導電板６４を電子回路部７と電気的に接続する接続ケーブル６５とを備えている。導電板６４は、銅などの導電性の高い金属薄板からなり、その上面に配置されるブリッジ駒６０と導通するように構成されている。
【００７５】
すなわち、この導電板６４は、図１１および図１３に示すように、ブリッジ駒６０に取り付けられた弦高調整ねじ３５の下端が接触してブリッジ駒６０に導通すると共に、ブリッジ駒６０にその下面が接触して導通する本体部６４ａと、絶縁板６１の弦挿入孔６１ａ内に突出してその弦挿入孔６１ａ内に挿入された弦４に接触する弦接触部６４ｂと、本体部６４ａから絶縁板６１の所定個所、つまりブリッジ駒６０が接触しない個所に延出された配線部６４ｃとを有し、この配線部６４ｃが絶縁板６１の下面に設けられたコネクタ６６に接続されるように構成されている。
【００７６】
この場合、コネクタ６６は、図１１および図１３に示すように、複数の導電板６４の各配線部６４ｃがそれぞれ接続され、この状態でブリッジベース２７に設けられた挿入孔２７ｄを通してブリッジベース２７の下側に突出し、この突出した部分に接続ケーブル６５が接続されるように構成されている。これにより、複数の導電板６４は、接続ケーブル６５によって電子回路部７と電気的に接続されることにより、電流が供給され、この供給された電流が直接または弦高調整ねじ３５およびブリッジ駒６０を介して複数の弦４にそれぞれ流れるように構成されている。
【００７７】
次に、このような電子ギターの作用について説明する。
この電子ギターで演奏する際には、アコースティックギターと同様、ネック３の指板１２に張り渡された複数の弦４を指で押えて複数のフレット１３のいずれかに押し付けながら、このフレット１３に対応する弦４を弾くことにより、第１実施形態と同様に演奏をすることができる。このときには、押弦センサ１９によって押弦位置に対応する音高が決定され、ピックアップ部６によって押された弦４の弦振動が検出され、これらに基づいて楽音が発生される。
【００７８】
すなわち、押弦センサ１９は、複数の弦４のいずれかが押されて複数のフレット１３のいずれかに押し付けられると、弦４とフレット１３とが導通し、これに対応する配線基板１４の電極パッド１５と弦４とに電流が流れることにより、弦４が導通したフレット１３のＸ座標位置がＸ信号制御部５２によって指定されると共に、フレット１３に導通した弦４のＹ座標位置がＹ信号制御部５３によって指定され、これにより発音すべき楽音の音高情報が決定される。
【００７９】
また、ピックアップ部６は、フレット１３に導通した弦４が弾かれると、その弾かれた弦４の振動を検出する。そして、押弦センサ１９によって検出された音高情報と、ピックアップ部６によって検出された弦振動情報とによって、ＣＰＵ４５が音源部４８に指令を与えて音源データを生成させ、この音源データに基づいてエフェクト部４９で楽音データを生成させてオーディオ機器に出力し、楽音を発生させる。
【００８０】
このように、この電子ギターによれば、胴部２およびネック３を有するギター本体１上に張り渡される導電性を有する複数の弦４と、ギター本体１の胴部２に設けられて複数の弦４の各一端部４ａが取り付けられるブリッジ部５と、ギター本体１のネック３に設けられ、かつ複数の弦４がそれぞれ金属製の複数のフレット１３に押し付けられて導通することにより、音高を検出する押弦センサ１９と、複数の弦４とブリッジ部５とを絶縁する絶縁部である絶縁板６１および絶縁チューブ４１と、複数の弦４にそれぞれ導通して接続される接続部である導電板６４および接続ケーブル６５と、を備えているので、弦４の操作に違和感なく、正確にかつ確実に楽音情報を検出して良好に演奏ができる。
【００８１】
すなわち、この電子ギターにおいても、ギター本体１に張り渡された弦４を指で押えて有効弦長を変化させながら、同じ弦４を弾いて演奏することができると共に、指で押えられた弦４を金属製のフレット１３に押し付けることができるので、違和感なく弦の操作ができるほか、複数の弦４の各一端部４ａが取り付けられるブリッジ部５の強度を高めるために、ブリッジ部５を金属で形成しても、正確にかつ確実に楽音情報を検出して良好に演奏ができる。
【００８２】
すなわち、この電子ギターでは、絶縁部である絶縁板６１および絶縁チューブ４１によって複数の弦４をブリッジ部５に対して絶縁することができ、これにより複数の弦４が相互に導通するのを防ぐことができるので、正確にかつ確実に楽音情報を検出して良好に演奏ができる。また、この電子ギターにおいても、追加部品が少ないので、低コスト化を図ることができると共に、高速でフレット検出つまり音高検出ができる。
【００８３】
この場合、ブリッジ部５は、複数の弦４の各一端部４ａがそれぞれ挿入して取り付けられる複数の弦取付孔３９が設けられたブリッジ本体２４と、このブリッジ本体２４上に複数の弦４それぞれに対応して配置され、かつ複数の弦４をそれぞれ支持する金属製のブリッジ駒６０と、このブリッジ駒６０とブリッジ本体２４との間に配置された絶縁板６１とを備えていることにより、複数の弦４の各一端部４ａが取り付けられるブリッジ本体２４およびブリッジ駒６０の強度を高めるために、これらを金属で形成しても、絶縁部である絶縁板６１および絶縁チューブ４１によって複数の弦４をブリッジ本体２４に対して絶縁することができ、これにより複数の弦４が相互に導通するのを防ぐことができる。
【００８４】
すなわち、絶縁部は、ブリッジ本体２４と複数のブリッジ駒６０との間に配置された絶縁板６１と、複数の弦４の各一端部４ａが挿入した状態でブリッジ本体２４の複数の弦取付孔３９にそれぞれ挿入して配置される絶縁チューブ４１とを有しているので、ブリッジ本体２４および複数のブリッジ駒６０を金属で形成しても、絶縁板６１および複数の絶縁チューブ４１によって複数の弦４をブリッジ本体２４に対して絶縁することができ、これにより複数の弦４が相互に導通するのを確実に防ぐことができる。
【００８５】
この場合、接続部は、絶縁板６１と複数のブリッジ駒６０との間にそれぞれ配置されて複数の弦４に対してそれぞれ個別に導通する複数の導電板６４と、これら複数の導電板６４にそれぞれ接続される複数の接続ケーブル６５とを有しているので、これら複数の接続ケーブル６５によって複数の導電板６４および複数のブリッジ駒６０を介して複数の弦４それぞれに電流を個別に供給することができ、これにより複数の弦４をそれぞれ金属製の複数のフレット１３に個別に押し付けて導通させることができるので、押弦センサ１９によって音高情報を正確に検出することができる。
【００８６】
なお、上述した第２実施形態では、導電板６４が弦４に接触する弦接触部６４ｂを有する構成である場合について述べたが、必ずしも弦接触部６４ｂを有している必要はなく、導電板６４はブリッジ駒６０に取り付けられた弦高調整ねじ３５の下端が接触してブリッジ駒６０に導通すると共に、ブリッジ駒６０にその下面が接触して導通する本体部６４ａと絶縁板６１の所定個所に延出される配線部６４ｃとを有するだけの構成であっても良い。
【００８７】
また、上述した第１、第２の各実施形態およびその変形例では、電子ギターに適用した場合について述べたが、必ずしも電子ギターに適用する必要がなく、例えば電子マンドリン、電子ウクレレ、電子三味線などの各種の電子弦楽器に広く適用することができる。
【００８８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８９】
（付記）
請求項１に記載の発明は、楽器本体と、この楽器本体上に張設される導電性を有する複数の弦と、前記楽器本体に設けられ、前記複数の弦の各一端部が取り付けられるブリッジ部と、前記複数の弦と前記ブリッジ部とを絶縁する絶縁部と、前記複数の弦それぞれを独立に導通させて接続される接続部と、前記楽器本体に設けられ、前記接続部に接続された前記各弦に対して電気信号を供給すると共に、前記複数の弦がそれぞれ導電性を有する複数のフレットのいずれかに押し付けられて導通したかを検知することにより、発音すべき楽音の音高を決定する音高決定部と、を備えていることを特徴とする電子弦楽器である。
【００９０】
請求項２に記載の発明は、請求項１に記載の電子弦楽器において、前記ブリッジ部は、前記複数の弦の前記各一端部がそれぞれ挿入して取り付けられる複数の弦取付孔が設けられたブリッジ本体と、このブリッジ本体上に前記複数の弦それぞれに対応して配置され、かつ前記複数の弦をそれぞれ支持するブリッジ駒とを備えていることを特徴とする電子弦楽器である。
【００９１】
請求項３に記載の発明は、請求項１または請求項２に記載の電子弦楽器において、前記絶縁部は前記複数のブリッジ駒と複数の絶縁チューブとを有し、前記複数のブリッジ駒はそれぞれ絶縁性を有する合成樹脂で形成され、前記複数の絶縁チューブはその各内部に前記複数の弦の前記各一端部が挿入した状態で前記ブリッジ本体の前記複数の弦取付孔にそれぞれ挿入して配置され、
前記接続部は、前記複数の絶縁チューブの内部にそれぞれ設けられて前記複数の弦にそれぞれ導通する複数の導電部と、これら複数の導電部にそれぞれ接続される複数の接続ケーブルとを有していることを特徴とする電子弦楽器である。
【００９２】
請求項４に記載の発明は、請求項１または請求項２に記載の電子弦楽器において、前記絶縁部は、前記ブリッジ本体と前記複数のブリッジ駒との間に配置された絶縁部材と、前記複数の弦の前記各一端部が挿入した状態で前記ブリッジ本体の前記複数の弦取付孔にそれぞれ挿入して配置される絶縁チューブとを有し、
前記接続部は、前記絶縁部材と前記複数のブリッジ駒との間にそれぞれ配置されて前記複数の弦に対してそれぞれ個別に導通する複数の導電部材と、これら複数の導電部材にそれぞれ接続される複数の接続ケーブルとを有していることを特徴とする電子弦楽器である。
【符号の説明】
【００９３】
１  ギター本体
２  胴部
３  ネック
４  弦
５  ブリッジ部
６  ピックアップ部
１２  指板
１３  フレット
１４  配線基板
１９  押弦センサ
２４  ブリッジ本体
２５  絶縁性のブリッジ駒
２６  ブリッジブロック
２７  ブリッジベース
４１  絶縁チューブ
４２  導電チューブ
４３、６５  接続ケーブル
５５  導電層
６０  金属製のブリッジ駒
６１  絶縁板
６４  導電板
【図１】
2014106312.tif 000003
【図２】
2014106312.tif 000004
【図３】
2014106312.tif 000005
【図４】
2014106312.tif 000006
【図５】
2014106312.tif 000007
【図６】
2014106312.tif 000008
【図７】
2014106312.tif 000009
【図８】
2014106312.tif 000010
【図９】
2014106312.tif 000011
【図１０】
2014106312.tif 000012
【図１１】
2014106312.tif 000013
【図１２】
2014106312.tif 000014
【図１３】
2014106312.tif 000015